(57)【要約】【課題】  体格の小型化が可能で、且つ、より高いアンテナ利得を確保できるキーレスエントリー受信機を提供すること。【解決手段】  ケース１０と、ケース１０内に収納されるプリント基板２０と、ケース１０に一体に設けられ、一部が弾性変形することにより、プリント基板２０に圧接されて電気的に接続されるアンテナ３０とを備えるキーレスエントリー受信機１００において、ケース２０の上面内壁から突出し、プリント基板２０と接する所謂モノポール構造のアンテナ３０の突出部３２を、先端がプリント基板２０と接し、プリント基板２０に対して略垂直に伸延する伸延部３２ａと、アンテナ３０とプリント基板２０との圧接構造を確保しつつ、プリント基板２０に生じるイメージ電流を低減するために、伸延部３２ａから折曲し、伸延部３２ａとケース１０の上面内壁との間に設けられた弾性変形可能なばね部３２ｂとにより構成した。【選択図】        図１
2005311607.tif 000002
【特許請求の範囲】
【請求項１】
ケースと、
前記ケース内に収納されるプリント基板と、
前記ケースに一体に設けられ、一部が弾性変形することにより、前記プリント基板に圧接されて電気的に接続されるアンテナと、を備えるキーレスエントリー受信機において、
前記アンテナは、前記ケースの上面内壁から突出し、前記プリント基板と接する突出部として、前記プリント基板から略垂直に伸延する伸延部と、当該伸延部と前記ケースの上面内壁との間で弾性変形可能に設けられたばね部とを有することを特徴とするキーレスエントリー受信機。
【請求項２】
前記突出部は、略Ｌ字状の逆Ｌ型モノポール構造を有していることを特徴とする請求項１に記載のキーレスエントリー受信機。
【請求項３】
前記ケースは、前記アンテナが一体に設けられた樹脂製の上ケースと、下ケースとにより構成され、前記上ケースを前記下ケースに組み付けた状態で、前記伸延部の先端が前記プリント基板に圧接されていることを特徴とする請求項１又は請求項２に記載のキーレスエントリー受信機。
【請求項４】
前記プリント基板は、前記ケースの上面内壁と対向する面に、前記伸延部の先端を位置決めする位置決め部を有することを特徴とする請求項１〜３いずれか１項に記載のキーレスエントリー受信機。
【請求項５】
前記位置決め部は、前記伸延部の先端形状に対応して設けられた凹部或いは凸部であることを特徴とする請求項４に記載のキーレスエントリー受信機。
【請求項６】
前記アンテナは、前記伸延部の一部に応力緩衝用の撓み部を有することを特徴とする請求項１〜５いずれか１項に記載のキーレスエントリー受信機。
【発明の詳細な説明】
【技術分野】
【０００１】
本発明は、自動車等の車両や住宅等に用いられるキーレスエントリー受信機に関するものである。
【背景技術】
【０００２】
従来、車両のドア開閉やエンジン始動等の制御システムとして、キーレスエントリー送信機と、キーレスエントリー受信機とにより構成されるキーレスエントリーシステムがある。このシステムの場合、運転者の操作により、キーレスエントリー送信機から信号を送信すると、車両側に搭載されたキーレスエントリー受信機が当該送信信号を受信し、対の送信機からの信号かどうか正否判断を行う。そして、正しければ、送信信号に応じた制御信号を制御ＥＣＵに出力し、ドアの開閉やエンジン始動等を行う。
【０００３】
このシステムのうち、キーレスエントリー受信機は、例えば図５に示すように、上ケース１１と下ケース１２からなる内部空間に、プリント基板２０と当該プリント基板２０に電気的に接続されたアンテナ３０とを収納してなるものである。そして、アンテナ３０は、高いアンテナ利得を確保するため、金属線を立体的に折り曲げて形成されたモノポール構造を有しており、その一端がはんだによりプリント基板２０の電極２１に接合され、プリント基板表面に配設されたホルダ４０により、支持・固定されている。尚、図５は、従来例を示すキーレスエントリー受信機１００の分解斜視図である。図５において、符号５０はプリント基板２０上に実装されたコネクタである。
【発明の開示】
【発明が解決しようとする課題】
【０００４】
しかしながら、上述のキーレスエントリー受信機１００の場合、プリント基板２０表面にホルダ４０の設置スペースが必要となる。また、アンテナ３０と上ケース１１との間に隙間を設けないと、車両の振動によりアンテナ１１が振動し、上ケース１１との接触により音を生じる等の問題がある。すなわち、高いアンテナ利得を確保しつつ（アンテナ高さを低くしないで）体格の小型化が困難である。
【０００５】
そこで上記問題を解決するものとして、ケースの壁面にアンテナを一体に設けてなるキーレスエントリー受信機を、本出願人は先に特願２００３−２７８６１１号にて出願している。その際、熱かしめ、接着、インサート成形等により金属板或いは金属線からなるアンテナの一部をケースに一体に設け、ケースから突出するアンテナの突出部をプリント基板の電極に圧接させる構成とすると、簡単な構成ながら、アンテナとプリント基板との間の電気的な接続を好ましい状態とすることができる。
【０００６】
しかしながら、突出部の構成によっては、ケースの壁面にアンテナを一体に設けた構成であっても、高いアンテナ利得を確保できない場合がある。例えば、図６（ａ），（ｂ）に示すように、ケース１０が一対の上ケース１１及び下ケース１２からなり、上ケース１１を下ケース１２に組み付けてなる内部空間１３内に、プリント基板２０とアンテナ３０が収納されている。そして、アンテナ３０は、上ケース１１の上面内壁に一体に設けられた平面部３１と、平面部３１から折曲されて上面内壁から突出し、プリント基板２０と接する突出部３２とにより構成され、突出部３２は上面内壁からプリント基板２０に対して略垂直に伸延する伸延部３２ａと、伸延部３２ａから折曲し、接触部３２ｃとの間で弾性変形可能に設けられたばね部３２ｂを有している。このように、アンテナ３０の突出部３２が略Ｌ字状のモノポール構造を有している場合、電波放射には主に高さ部分の伸延部３２ａが寄与する。
【０００７】
しかしながら、上記構成において、ばね部３２ｂは、伸延部３２ａに対して折曲されることで弾性変形可能に設けられており、ばね部３２ｂはプリント基板２０と対向する位置関係（略垂直でない関係（本実施形態においては略平行））にある。従って、アンテナ３０に電流を流すと、図６（ｃ）に示すように、プリント基板２０にばね部３２ｂを流れる電流と逆向きの電流（イメージ電流）が生じる。尚、図６（ｃ）において白抜き矢印が電流を示す。特に、モノポール構造のアンテナ３０は、給電点である接点（プリント基板２０の電極２１とアンテナ３０の接触部３２ｃ）付近が最も高く、上ケース１１側ほど低い電流分布となるので、アンテナ３０の突出部３２が図６（ａ）〜（ｃ）に示すような略Ｌ字型構造を有し、ばね部３２ｂが、電流分布が高く、プリント基板２０に近い接点付近に設けられていると、プリント基板２０に生じるイメージ電流によって、ばね部３２ｂを流れる強い電流部分が相殺されてしまう。すなわち、電波放射に寄与できる高さ部分（すなわち伸延部３２ａ）の電流が弱くなるため、ケース１０にアンテナ３０を一体に設けた構成であっても、高いアンテナ利得を確保することができない。尚、図６（ａ）は斜視図、図６（ｂ）は断面図、図６（ｃ）はイメージ電流を説明するための図である。図６（ａ）においては、便宜上、内部空間１３に配置されているプリント基板２０を一点鎖線にて、アンテナ３０を破線にて図示している。
【０００８】
本発明は上記問題点に鑑み、体格の小型化が可能で、且つ、より高いアンテナ利得を確保できるキーレスエントリー受信機を提供することを目的とする。
【課題を解決するための手段】
【０００９】
上記目的を達成する為に、請求項１に記載の発明は、ケースと、ケース内に収納されるプリント基板と、ケースに一体に設けられ、一部が弾性変形することにより、プリント基板に圧接されて電気的に接続されるアンテナと、を備えるキーレスエントリー受信機に関するものである。そしてアンテナが、ケースの上面内壁から突出し、プリント基板と接する突出部として、プリント基板から略垂直に伸延する伸延部と、当該伸延部とケースの上面内壁との間で弾性変形可能に設けられたばね部とを有することを特徴とする。
【００１０】
このように、本発明のキーレスエントリー受信機によると、アンテナがケースに一体に設けられているので、アンテナを支持・固定するためのホルダを必要としない。また、アンテナとケースとの間に隙間を設ける必要もない。従って、アンテナ高さを低くしなくとも（すなわち高いアンテナ利得を確保したまま）体格の小型化が可能である。
【００１１】
また、本発明において、アンテナの突出部はプリント基板に対して略垂直に伸延する所謂モノポール構造を有している。このようなモノポール構造の場合、アンテナの電流分布は、給電点であるアンテナの伸延部の先端とプリント基板の接点付近ほど高く、ケース上面内壁側ほど低くなる。しかしながら、プリント基板と対向し、プリント基板にイメージ電流を生じさせる要因である突出部のばね部が、プリント基板との接点付近ではなく、プリント基板から離れ、電流分布が低いケースの上面内壁側に設けられているので、プリント基板に生じるイメージ電流を低減することができる。すなわち、イメージ電流により相殺される電流が少なく、電波放射に主に寄与する伸延部にスムースに電流が流れるため、より高いアンテナ利得を確保することができる。
【００１２】
尚、プリント基板にアンテナを圧接し、ばね部の反力によりアンテナとプリント基板との間の接触圧を確保する構成であるので、接続信頼性を向上させることができるとともに、部品点数を削減することができる。
【００１３】
このようなアンテナとしては、例えば請求項２に記載のように、突出部が略Ｌ字状の所謂逆Ｌ型モノポール構造を有しているものを適用することができる。この場合、電波放射に主に寄与する高さ部分である伸延部の長さをできる限り長くすることができる。
【００１４】
請求項３に記載のように、ケースは、アンテナが一体に設けられた樹脂製の上ケースと、下ケースとにより構成され、上ケースを下ケースに組み付けた状態で、伸延部の先端がプリント基板に圧接されていることが好ましい。
【００１５】
このように、ケースが一対の上ケース及び下ケースよりなり、樹脂製の上ケースにアンテナが一体に設けられた構成であれば、上ケースを下ケースに組み付けるとともに、アンテナの端部である伸延部の先端をプリント基板に圧接させて両者を電気的に接続させることができる。すなわち、アンテナとプリント基板との電気的な接続状態を容易に確保することができる。
【００１６】
また、ケースが上ケースと下ケースに分かれていれば上ケースの内壁面が露出するので、例えば接着や熱かしめによりアンテナ（の一部）を上ケースに一体化しやすい。
【００１７】
ここで、アンテナとプリント基板とを電気的に接続するためには、伸延部の先端をプリント基板の所定位置に位置決めする必要がある。しかしながら、請求項１〜３に記載のキーレスエントリー受信機においては、イメージ電流の影響を低減するために、弾性変形可能なばね部がプリント基板との接点に対して離れた位置に設けられている。従って、突出部が振れやすく、ばね部が接点に近い位置にある（例えばプリント基板と接する突出部の先端としてばね部が設けられている）場合よりも位置決めが困難となる。
【００１８】
そこで、請求項４に記載のように、プリント基板がケースの上面内壁と対向する面に、伸延部の先端を位置決めする位置決め部を設けることで、イメージ電流の影響を低減する構造でありながら、アンテナ（伸延部）の先端をプリント基板の所定位置に容易に位置決めすることができる。尚、位置決め部としては、例えば請求項５に記載のように、伸延部の先端形状に対応して設けられた凹部或いは凸部を適用することができる。
【００１９】
また、振動等の外部応力により生じるアンテナとケース及び／又はプリント基板との接触音やアンテナの変形を防止するために、請求項６に記載のように、アンテナは、ばね部位外に、伸延部の一部に応力緩衝用の撓み部を有しても良い。
【発明を実施するための最良の形態】
【００２０】
以下、本発明の実施の形態を図に基づいて説明する。
（第１の実施形態）
図１は、本実施の形態におけるキーレスエントリー受信機の概略構成を示す図であり、（ａ）は斜視図、（ｂ）は断面図である。図１（ａ）においては、便宜上、ケース内に収納されているアンテナを破線にて、プリント基板を一点鎖線にて図示している。
【００２１】
尚、本実施形態におけるキーレスエントリー受信機は、例えば自動車等の車両のドア開閉制御やエンジン始動制御、或いは住宅の玄関ドア開閉制御等に用いられるものであり、キーレスエントリー送信機とともにキーレスエントリーシステムを構成している。例えば、車両のインパネ内やリアクオーターガラス下に配設されたキーレスエントリー受信機が、運転者の操作によりキーレスエントリー送信機から送信された信号を受信すると、先ず対の送信機からの信号かどうかの正否判断を行い、正しければ、送信信号に応じた制御信号を制御ＥＣＵに出力する。そして、ドアの開閉やエンジン始動等がなされる。
【００２２】
図１に示すように、キーレスエントリー受信機１００は、ケース１０と、当該ケース１０の内部空間に配置されるプリント基板２０と、ケース１０に一体に設けられ、プリント基板２０に電気的に接続された状態でキーレスエントリー送信機（図示せず）から送信された信号を受信するアンテナ３０とにより構成される。
【００２３】
ケース１０は、一対の上ケース１１及び下ケース１２から構成される。本実施形態においては、一面が開口した箱状の上ケース１１を、開口面（下面）を閉じるように平板状の下ケース１２に組み付ける（ねじ締結、接着、嵌合等）ことにより、気密封止された内部空間１３を有するケース１０となる。そして、ケース１０は内部空間１３内に、プリント基板２０及びアンテナ３０を有している。
【００２４】
上ケース１１は合成樹脂材料からなり、その上面には、一端がプリント基板２０に圧接されるアンテナ３０が一体に形成されている。また、側面には、プリント基板２０表面に実装されたコネクタ（図示せず）に対応する部位に、切り欠き部（図示せず）が形成されている。この上ケース１１は合成樹脂以外にもセラミックにより形成されても良いが、上ケース１１としての形成し易さ及びアンテナ３０を一体化し易さの点から合成樹脂を用いて形成されることが好ましい。
【００２５】
下ケース１２も上ケース１１と同様に合成樹脂材料からなる。そして、上ケース１１の上面内壁に対向する面上にプリント基板２０が位置決め固定されている。
【００２６】
プリント基板２０は略矩形状を有しており、上ケース１１に形成されたアンテナ３０の一端との接触部位に、接続用の電極２１を有している。また、基板表面には制御ＥＣＵに制御信号を出力するためのコネクタ（図示せず）が実装されている。
【００２７】
アンテナ３０は、上ケース１１の上面内壁に一体に設けられた所定パターンを有する平面部３１と、平面部３１から折曲されて上面内壁から突出し、先端がプリント基板２０と接する突出部３２とにより構成される。そして、本実施形態においては、図１（ｂ）に示すように、突出部３２がプリント基板２０から上ケース１１の上面方向に略垂直に伸延する伸延部３２ａと、当該伸延部３２ａから折曲し、伸延部３２ａ上ケース１１の上面内壁との間で弾性変形可能に設けられたばね部３２ｂとにより構成される略Ｌ字状の所謂逆Ｌ型モノポール構造を有していることを特徴とする。尚、逆Ｌ型モノポール構造を有しているアンテナ３０の効果については後述する。
【００２８】
また、本実施形態においては、伸延部３２ａの先端がプリント基板２０と略平行となるようにわずかに折曲され、当該折曲部位に電極２１との点接触を確保するための球体が一体化されている。この接触部３２ｃをプリント基板２０の電極２１に当接させた状態から、上ケース１１を下ケース１２に接するようにさらに押し付けると、ばね部３２ｂが弾性変形し、接触部３２ｃが電極２１に圧接される。そして当該圧接状態にて、上ケース１１が下ケース１２に固定されて、キーレスエントリー受信機１００が形成される。
【００２９】
尚、上ケース１１に一体化されたアンテナ３０は、例えば金属板、或いは金属線を所望パターンに加工してなるアンテナ３０の平面部３１を、上ケース１１の上面内壁に接着して形成することができる。それ以外にも、金属板、或いは金属線を所望パターンに加工してなるアンテナ３０の平面部３１を、熱かしめにより上ケース１１の上面内壁に固定することにより形成しても良い。また、所望パターンに加工された金属板或いは金属線をインサート部品として、上ケース１１（又はケース１０）形成と同時にインサート成形し、平面部３１が上ケース１１（又はケース１０）に一体化されたアンテナ３０を形成しても良い。本実施形態においては、ケース１０が一対の上ケース１１及び下ケース１２からなり、上ケース１１の上面内壁を露出できるので、接着や熱かしめによりアンテナ３０を上ケース１１の内壁面に一体化しやすい。
【００３０】
このように、本実施形態におけるキーレスエントリー受信機１００によると、アンテナ３０の一部が上ケース１１に一体に設けられているので、アンテナ３０を支持・固定するためのホルダを必要としない。また、アンテナ３０と上ケース１１との間に隙間を設ける必要もない。従って、アンテナ３０高さを低く（すなわち伸延部３２ａの長さを短く）しなくとも（すなわち高いアンテナ利得を確保したまま）体格の小型化が可能である。
【００３１】
また、ケース１０が一対の上ケース１１及び下ケース１２よりなり、樹脂製の上ケース１１にアンテナ３０が一体に設けられた構成である。従って、上ケース１１を下ケース１２に組み付けるとともに、アンテナ３０の先端である接触部３２ｃをプリント基板２０の電極２１に圧接させて両者を電気的に接続させることができる。すなわち、アンテナ３０とプリント基板２０との電気的な接続状態を容易に確保することができる。
【００３２】
また、アンテナ３０を構成するばね部３２ｂの反力により、アンテナ３０とプリント基板２０との間の接触圧を確保することができる。従って、接続信頼性を向上するとともに、部品点数を削減することができる。
【００３３】
次に、本実施形態の特徴点であるアンテナ３０の構造及びその効果について説明する。
【００３４】
本実施形態に示すアンテナ３０は、プリント基板２０と電気的に接続され、プリント基板２０に対して略垂直に伸延する伸延部３２ａを有する所謂モノポール構造を有している。このようなモノポール構造の場合、高さ部分である伸延部３２ａが主に電波放射に寄与する。また、アンテナ３０の電流分布は、給電点であるアンテナ３０の先端の接触部３２ｃとプリント基板２０の電極２１との接点付近ほど高く、上ケース１１の上面内壁側ほど低くなる。
【００３５】
また、アンテナ３０は、プリント基板２０との圧接構造を確保するために、突出部３２として、上記伸延部３２ａとともに、弾性変形可能なばね部３２ｂを有している。このばね部３２ｂは、プリント基板２０に対して略垂直な位置関係にある伸延部３２ａに対して、折曲されることで弾性変形可能に設けられている。すなわち、ばね部３２ｂはプリント基板２０と対向する位置関係（略垂直でない関係（本実施形態においては略平行））にある。従って、アンテナ３０に電流を流すと、ばね部３２ｂと対向関係にあるプリント基板２０にも、ばね部３２ｂを流れる電流と逆向きの電流（イメージ電流）が生じることとなる。このように、アンテナ３０の構造上、ばね部３２ｂと逆向きのイメージ電流が生じる場合、突出部３２におけるばね部３２ｂの位置によってはイメージ電流が大きくなるので、アンテナ３０を流れる電流がイメージ電流により相殺されて、電波放射に寄与できる高さ部分（すなわち伸延部３２ａ）の電流が弱くなり、高いアンテナ利得を確保することができないことも考えられる。
【００３６】
しかしながら、本実施形態におけるキーレスエントリー受信機１００においては、アンテナ３０の突出部３２において、プリント基板２０にイメージ電流を生じさせる要因であるばね部３２ｂを、プリント基板２０の電極２１との接点（給電点）付近ではなく、プリント基板２０から離れ、電流分布が低い上ケース１１の上面内壁付近に設けている。従って、プリント基板２０に生じるイメージ電流をできる限り低減することができる。すなわち、イメージ電流により相殺される電流が少なく、電波放射に主に寄与する伸延部３２ａに強い電流がスムースに流れるため、より高いアンテナ利得を確保することができる。
【００３７】
また、本実施形態に示すアンテナ３０の効果を確認するために、ＦＤＴＤ（Finite Difference Time-Domain）法を用い、アンテナ３０及びプリント基板２０における電流分布をシミュレーションした。その結果を図２（ａ），（ｂ）に示す。尚、図２は電流分布のシミュレーション結果を示す模式図であり、（ａ）はばね部３２ｂが接点付近にあるＬ型モノポール構造のアンテナ３０の場合、（ｂ）は本実施形態に示した逆Ｌ型モノポール構造のアンテナ３０の場合を示している。図２中において、白抜き矢印が電流を示しており、特徴部分のみを図示している。尚、ＦＤＴＤ法とは、電界、磁界に関するマクスウェルの方程式を時間領域と空間領域とで差分化し、その差分式を時間領域で逐次計算することで計算領域内の電磁界を数値的に求める手法である。
【００３８】
図２（ａ）においては、アンテナ３０の突出部３２のうち、伸延部３２ａが上面内壁からプリント基板２０に対して略垂直に伸延し、伸延部３２ａから折曲して、弾性変形可能なばね部３２ｂがプリント基板２０に対して近い位置に設けられている。そして、ばね部３２ｂの先端に設けられた接触部３２ｃがプリント基板２０の電極２１に圧接された構成となっている。図２（ａ）に示すように、接触部３２ｃと電極２１との接点（給電点）に近い位置にあるばね部３２ｂの電流分布は高い値を示している。しかしながら、プリント基板２０に流れるイメージ電流（ばね部３２ｂと逆向き）の電流分布も高くなっている。これは、ばね部３２ｂとプリント基板２０が近いため、ばね部３２ｂを流れる電流の影響をより強く受けるためのであると考えられる。従って、イメージ電流によって、ばね部３２ｂを流れる強い電流部分が相殺されており、電流放射に主に寄与する伸延部３２ａの電流分布が低くなっている。すなわち、アンテナ３０が図２（ａ）に示す構造であると、ケース１０にアンテナ３０を一体に設けた構成であっても、高いアンテナ利得を確保することができないことを示している。
【００３９】
それに対し、本実施形態に示す構造のアンテナ３０の場合、図２（ｂ）に示すように、プリント基板２０にばね部３２ｂに起因して生じるイメージ電流がほとんど発生せず（電流分布が低く）、伸延部３２ａの電流分布が高い値を示している。これは、プリント基板２０と対向し、プリント基板２０にイメージ電流を生じさせる要因である突出部３２のばね部３２ｂが、プリント基板２０との接点付近ではなく、プリント基板２０から離れて電流分布が低い上ケース１１の上面内壁側に設けられているためであると考えられる。すなわち、アンテナ３０が図２（ｂ）に示す構造であると、プリント基板２０に生じるイメージ電流を低減することができるので、ばね部３２ｂの反力によりアンテナ３０とプリント基板２０との間の接触圧を確保する構成でありながら、より高いアンテナ利得を確保することができることを示している。
【００４０】
尚、図２（ａ）に示す構造のアンテナ３０のプリント基板２０に対する垂直部分（伸延部３２ａ）の電流総和を０ｄＢとすると、図２（ｂ）に示す本実施形態のアンテナ３０のプリント基板２０に対する垂直部分（伸延部３２ａ）の電流総和は２．２ｄＢであった。以上より、シミュレーションの結果からも、アンテナ３０における突出部３２の構造を逆Ｌ型モノポール構造とすることにより、より高いアンテナ利得を確保できることが判明した。
【００４１】
以上本発明の好ましい実施形態について説明したが、本発明は上述の実施形態のみに限定されず、種々変更して実施する事ができる。
【００４２】
本実施形態において、アンテナ３０の突出部３２が逆Ｌ型のモノポール構造を有している例を示した。しかしながら、それ以外にも、先端の接触部３２ｃがプリント基板２０に接し、プリント基板２０から略垂直に伸延する伸延部３２ａと、当該伸延部３２ａから折曲されて、伸延部３２ａとケース１０の上面内壁との間で弾性変形可能に設けられたばね部３２ｂとを有するモノポール構造のものであれば適用することができる。しかしながら、逆Ｌ型構造の場合、ばね部３２ｂを有しつつ、伸延部３２ａの長さをより長く取ることができるので、アンテナ利得向上に有利である。
【００４３】
また、アンテナ３０とプリント基板２０とを電気的に接続するためには、伸延部３２ａの先端である接触部３２ｃをプリント基板２０の電極２１に対して位置決めする必要がある。しかしながら、本実施形態におけるキーレスエントリー受信機１００においては、アンテナ利得に対するプリント基板２０のイメージ電流の影響を低減するために、弾性変形可能なばね部３２ｂをプリント基板２０の電極と接触部３２ｃとの接点（給電点）に対して離れた位置に設けている。従って、ばね部３２ｂが接点に近い位置にある場合（例えば図２（ａ）に示す構造）よりも突出部３２が振れやすい状態にあり、接触部３２ｃを電極２１に位置決めするのが困難である。
【００４４】
そこで、上ケース１１の上面内壁と対向するプリント基板２０の面に、伸延部３２ａの先端である接触部３２ｃを位置決めする位置決め部を設けると良い。このような位置決め部としては、例えば、図３に示すように、接触部３２ｃの形状に応じて環状に形成された部材を接点である電極２１を囲むようにプリント基板２０表面に位置決め固定してなる凸部２２を適用することができる。それ以外には、接触部３２ｃの形状に応じてプリント基板２０に形成された凹部を適用することもできる。このように位置決め部２２をプリント基板２０に設けることにより、イメージ電流の影響を低減する構造でありながら、アンテナ３０の先端である接触部３２ｃをプリント基板２０の電極２１に容易に位置決めすることが可能となる。尚、図３は、本実施形態の変形例を示す図である。
【００４５】
また、本実施形態においては、突出部３２を構成するばね部３２ｂが弾性変形することにより、アンテナ３０がプリント基板２０に圧接されて電気的に接続されている。しかしながら、ばね部３２ｂはケース１０の組み付け時に弾性変形しており、キーレスエントリー受信機１００形成後に、ケース１０に振動等の応力が印加された際、ばね部３２ｂではその応力を緩衝できず、アンテナ３０とケース１０及び／又はプリント基板２０との接触による接触音が生じたり、アンテナ３０自体が変形する恐れがある。そこで、図４に示すように、ばね部３２ｂ位外に、アンテナ３０の突出部３２が、伸延部３２ａの一部に応力緩衝用の撓み部３２ｄを備える構成としても良い。尚、図４は、本実施形態の変形例を示す図である。
【００４６】
また、本実施形態において、アンテナ３０は、上ケース１１の上面内壁に一体に形成され、ケース１０の内部空間１３に配置される例を示した。しかしながら、ケース１０と一体に形成されるアンテナ３０の位置は、上記例に限定されるものではない。例えば、アンテナ３０の一部が外壁面に形成されても良い。しかしながら、外部との接触や絶縁、プリント基板２０との接続構造等を考えると、本実施形態に示すように、一部をケース１０の上面内壁に一体に形成することが好ましい。
【００４７】
また、本実施形態において、ケース１０は一対の上ケース１１及び下ケース１２から構成される例を示した。しかしながら、ケース１０は一体のみで構成されても良いし、三体以上を組み合わせて構成されても良い。例えば、インサート成形により、一体のみからなるケース１０に対してアンテナ３０の一部を一体に形成する場合、予めケース１０に設けられた開口部からケース１０内のガイドに沿ってプリント基板２０を挿入するとともに、プリント基板２０の電極２１とアンテナ３０の接触部３２ｃとの電気的な接続を確保するように構成することもできる。この場合、ケース１０内を気密にしたい場合には、プリント基板２０挿入後、開口部を樹脂等により封止すれば良い。
【図面の簡単な説明】
【００４８】
【図１】本発明の第１の実施形態におけるキーレスエントリー受信機の概略構成を示す図であり、（ａ）は斜視図、（ｂ）は断面図である。
【図２】電流分布のシミュレーション結果を示す模式図であり、（ａ）は本実施形態に対する比較例、（ｂ）は本実施形態の実施例を示している。
【図３】変形例を示す断面図である。
【図４】変形例を示す断面図である。
【図５】従来例を示す分解斜視図である。
【図６】従来例を示すずであり、（ａ）は斜視図、（ｂ）は断面図、（ｃ）はイメージ電流を説明するための模式図である。
【符号の説明】
【００４９】
１０・・・ケース
１１・・・上ケース
１２・・・下ケース
１３・・・内部空間
２０・・・プリント基板
２１・・・電極
３０・・・アンテナ
３１・・・平面部
３２・・・突出部
３２ａ・・・伸延部
３２ｂ・・・ばね部
３２ｃ・・・接触部
１００・・・キーレスエントリー受信機
【図１】
2005311607.tif 000003
【図２】
2005311607.tif 000004
【図３】
2005311607.tif 000005
【図４】
2005311607.tif 000006
【図５】
2005311607.tif 000007
【図６】
2005311607.tif 000008